(57)【要約】【課題】電力量監視システムにおいて、省電力設定を変更した場合の効果をユーザが容易に知ることができるようにする。【解決手段】電力量監視システムは、ディスプレイを有するＴＶ受像機と、この機器にＨＤＭＩケーブルを介して接続されたＢＤレコーダとを備える。ＴＶ受像機は、ＢＤレコーダから受信した消費電力情報と、自機の消費電力情報と電気料金算出情報とに基づき、省電力設定を変更した場合の電力量監視システムの全て、又は一部の電気料金を算出する。そして、算出した省電力設定変更後の電気料金Ｌ１３，Ｌ１４と、以前に算出した省電力設定変更前の電気料金Ｌ１１，Ｌ１２とに基づいて、電気料金の増減料Ｌ１５，Ｌ１６をディスプレイ２１に表示する。【選択図】図１０
2010197090.tif 000002
【特許請求の範囲】
【請求項１】
消費電力の異なる複数の動作モードを有する複数のＡＶ機器を含み、
前記複数のＡＶ機器の各々は、
自機器の各動作モード別の消費電力と、前記各動作モード別の累計動作時間とが記憶された記憶手段と、
前記自機器の各動作モード別の消費電力と、前記各動作モード別の累計動作時間とを含む消費電力情報を他のＡＶ機器に送信する情報送信手段とを備え、
前記複数のＡＶ機器の少なくともいずれか１つは、
前記複数のＡＶ機器のうちの他のＡＶ機器と接続され、
前記複数のＡＶ機器に対して、前記消費電力情報を自機器に送信するように要求するための消費電力情報要求命令を送信する情報要求送信手段と、
前記消費電力情報要求命令に応じて前記ＡＶ機器から送信された前記消費電力情報を受信するための情報受信手段と、
前記複数のＡＶ機器の全て、又は一部の累計消費電力量を算出する累計消費電力量算出手段と、
前記累計消費電力量算出手段による算出結果を表示する表示手段とを備える機器（以下、電力量監視装置という）である電力量監視システムにおいて、
前記複数のＡＶ機器の全て、又は一部の省電力設定を変更する省電力設定変更手段とさらに備え、
前記電力量監視装置は、
前記複数のＡＶ機器のうちの該電力量監視装置以外のＡＶ機器に対して、前記情報要求送信手段を用いて前記消費電力情報要求命令を送信した後、該複数のＡＶ機器から送信された前記消費電力情報を、前記情報受信手段を用いて受信し、
受信した前記消費電力情報に基づき、
前記省電力設定手段により、省電力設定を変更した場合の前記複数のＡＶ機器の全て、又は一部の累計消費電力量を前記累計消費電力量算出手段により算出し、算出した省電力設定変更後の累計消費電力量と以前に算出した省電力設定変更前の累計消費電力量とに基づいて、前記複数のＡＶ機器の全て、又は一部の累計消費電力量の増加量、又は減少量を前記表示手段に表示することを特徴とする電力量監視システム。
【請求項２】
前記電力量監視装置は、
消費電力量に応じた電気料金を算出するための電気料金算出情報が記憶された電気料金算出情報記憶手段と、
前記電気料金算出情報記憶手段に記憶された電気料金算出情報と、前記累計消費電力量算出手段によって算出された累計消費電力量とに基づいて、電気料金を算出する電気料金算出手段とをさらに備え、
前記累計消費電力量算出手段によって算出された累計消費電力量と、前記電気料金算出情報記憶手段に記憶された電気料金算出情報とに基づき、前記省電力設定手段により省電力設定を変更した場合の前記複数のＡＶ機器の全て、又は一部の電気料金を前記電気料金算出手段により算出し、算出した省電力設定変更後の電気料金と以前に算出した省電力設定変更前の電気料金とに基づいて電気料金の増加料、又は減少料を前記表示手段に表示することを特徴とする請求項１に記載の電力量監視システム。
【請求項３】
前記電力量監視装置は、
消費電力量に応じたＣＯ２の排出量を算出するためのＣＯ２算出手段をさらに備え、
前記ＣＯ２算出手段を用いて、前記累計消費電力量算出手段によって算出された累計消費電力量に基づき、前記省電力設定手段により省電力設定を変更した場合の前記複数のＡＶ機器の全て、又は一部のＣＯ２排出量を算出し、算出した省電力設定変更前のＣＯ２排出量と以前に算出した省電力設定変更前のＣＯ２排出量とに基づいて、ＣＯ２排出量の増加量、又は減少量を前記表示手段に表示することを特徴とする請求項１又は２に記載の電力量監視システム。
【請求項４】
前記複数のＡＶ機器と、前記電力量監視装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１乃至３のいずれか一項に記載の電力量監視システム。
【発明の詳細な説明】
【技術分野】
【０００１】
本発明は、消費電力の異なる複数の動作モードを有する複数のＡＶ機器の電力量を監視する電力量監視システムに関する。
【背景技術】
【０００２】
従来から、複数のＡＶ機器に接続され、これらの機器から取得した消費電力に基づいて、現在のシステム内の積算消費電力をモニタ装置等に表示する電力量監視システムが知られている（例えば、特許文献１参照）。また、特許文献２には、ネットワークを介して接続されたＡＶ機器から、機器の動作モード別の消費電力に関する情報を取得し、取得した動作モード別の消費電力と、動作モード別の動作期間に基づき、消費電力量とＣＯ２（二酸化炭素）排出量とを算出してモニタ装置等に表示する電力量監視システムが開示されている。また、特許文献３には、テレビジョン受像機と、録画再生装置とにおける消費電力を取得し、１月ごとの消費電力量の累計や電気料金をテレビジョン受像機に表示することができる電力量監視システムが開示されている。
【０００３】
ところで、近年、クリックスタート機能のオン／オフや、ＶＦＤ（Ｖａｃｕｕｍ  Ｆｌｕｏｒｅｓｃｅｎｔ  Ｄｉｓｐｌａｙ）等のディスプレイランプのオン／オフや、モニタの輝度軽減設定等の省電力設定を変更可能な機器が普及している。しかしながら、上記従来の電力量監視システムでは、システム内の各機器の省電力設定を変更した場合にどれだけの消費電力量やＣＯ２排出量が抑制できるのかユーザによって分かりにくい。従って、ユーザにとって使い勝手が悪いという問題がある。
【先行技術文献】
【特許文献】
【０００４】
【特許文献１】特開２００７−１９２７５８号公報
【特許文献２】特開２００６−３２２７６１号公報
【特許文献３】特開２００８−１４８１４０号公報
【発明の概要】
【発明が解決しようとする課題】
【０００５】
本発明は、上述した問題点を解決するためになされたものであり、省電力設定を変更した場合の効果をユーザが容易に知ることができるようにして、ユーザにとって使い勝手の良い電力量監視システムを提供することを目的とする。
【課題を解決するための手段】
【０００６】
上記目的を達成するために請求項１の発明は、消費電力の異なる複数の動作モードを有する複数のＡＶ機器を含み、前記複数のＡＶ機器の各々は、自機器の各動作モード別の消費電力と、前記各動作モード別の累計動作時間とが記憶された記憶手段と、前記自機器の各動作モード別の消費電力と、前記各動作モード別の累計動作時間とを含む消費電力情報を他のＡＶ機器に送信する情報送信手段とを備え、前記複数のＡＶ機器の少なくともいずれか１つは、前記複数のＡＶ機器のうちの他のＡＶ機器と接続され、前記複数のＡＶ機器に対して、前記消費電力情報を自機器に送信するように要求するための消費電力情報要求命令を送信する情報要求送信手段と、前記消費電力情報要求命令に応じて前記ＡＶ機器から送信された前記消費電力情報を受信するための情報受信手段と、前記複数のＡＶ機器の全て、又は一部の累計消費電力量を算出する累計消費電力量算出手段と、前記累計消費電力量算出手段による算出結果を表示する表示手段とを備える機器（以下、電力量監視装置という）である電力量監視システムにおいて、前記複数のＡＶ機器の全て、又は一部の省電力設定を変更する省電力設定変更手段とさらに備え、前記電力量監視装置は、前記複数のＡＶ機器のうちの該電力量監視装置以外のＡＶ機器に対して、前記情報要求送信手段を用いて前記消費電力情報要求命令を送信した後、該複数のＡＶ機器から送信された前記消費電力情報を、前記情報受信手段を用いて受信し、受信した前記消費電力情報に基づき、前記省電力設定手段により、省電力設定を変更した場合の前記複数のＡＶ機器の全て、又は一部の累計消費電力量を前記累計消費電力量算出手段により算出し、算出した省電力設定変更後の累計消費電力量と以前に算出した省電力設定変更前の累計消費電力量とに基づいて、前記複数のＡＶ機器の全て、又は一部の累計消費電力量の増加量、又は減少量を前記表示手段に表示するものである。
【０００７】
請求項２に記載の発明は、請求項１に記載の電力量監視システムにおいて、前記電力量監視装置は、消費電力量に応じた電気料金を算出するための電気料金算出情報が記憶された電気料金算出情報記憶手段と、前記電気料金算出情報記憶手段に記憶された電気料金算出情報と、前記累計消費電力量算出手段によって算出された累計消費電力量とに基づいて、電気料金を算出する電気料金算出手段とをさらに備え、前記累計消費電力量算出手段によって算出された累計消費電力量と、前記電気料金算出情報記憶手段に記憶された電気料金算出情報とに基づき、前記省電力設定手段により省電力設定を変更した場合の前記複数のＡＶ機器の全て、又は一部の電気料金を前記電気料金算出手段により算出し、算出した省電力設定変更後の電気料金と以前に算出した省電力設定変更前の電気料金とに基づいて電気料金の増加料、又は減少料を前記表示手段に表示するものである。
【０００８】
請求項３に記載の発明は、請求項１又は２に記載の電力量監視システムにおいて、前記電力量監視装置は、消費電力量に応じたＣＯ２の排出量を算出するためのＣＯ２算出手段をさらに備え、前記ＣＯ２算出手段を用いて、前記累計消費電力量算出手段によって算出された累計消費電力量に基づき、前記省電力設定手段により省電力設定を変更した場合の前記複数のＡＶ機器の全て、又は一部のＣＯ２排出量を算出し、算出した省電力設定変更前のＣＯ２排出量と以前に算出した省電力設定変更前のＣＯ２排出量とに基づいて、ＣＯ２排出量の増加量、又は減少量を前記表示手段に表示するものである。
【０００９】
請求項４に記載の発明は、請求項１乃至３のいずれか一項に記載の電力量監視システムにおいて、前記複数のＡＶ機器と、前記電力量監視装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１０】
請求項１の発明によれば、省電力設定を変更した場合の複数のＡＶ機器の全て、又は一部の累計消費電力量を算出し、算出した省電力設定変更後の累計消費電力量と以前に算出した省電力設定変更前の累計消費電力量とに基づいて、省電力設定を変更した場合の累計消費電力量の増加量、又は減少量を表示手段に表示する。そのため、省電力設定を変更した場合にどれだけ消費電力量が増加するか、又は減少するかをユーザが容易に知ることができるので、ユーザにとって使い勝手が良い。
【００１１】
請求項２の発明によれば、省電力設定を変更した場合の複数のＡＶ機器の全て、又は一部の電気料金を算出し、算出した省電力設定変更後の電気料金と以前に算出した省電力設定変更前の電気料金とに基づいて電気料金の増加料、又は減少料を表示手段に表示する。そのため、省電力設定を変更した場合にどれだけ電気料金が増加するか、又は減少するかをユーザが容易に知ることができるので、ユーザにとって使い勝手が良い。
【００１２】
請求項３の発明によれば、省電力設定を変更した場合の複数のＡＶ機器の全て、又は一部のＣＯ２排出量を算出し、算出した省電力設定変更後のＣＯ２排出量と以前に算出した省電力設定変更前のＣＯ２排出量とに基づいて、ＣＯ２排出量の増加量、又は減少量を表示手段に表示する。そのため、省電力設定を変更した場合にどれだけＣＯ２排出量が増加するか、又は減少するかをユーザが容易に知ることができるので、ユーザにとって使い勝手が良い。
【図面の簡単な説明】
【００１３】
【図１】本発明の一実施形態に係るテレビジョン受像機と、ブルーレイディスクレコーダとを含む電力量監視システムの概念を示す図。
【図２】上記テレビジョン受像機の構成を示すブロック図。
【図３】上記テレビジョン受像機のメモリの構成を示すブロック図。
【図４】上記ブルーレイディスクレコーダの構成を示すブロック図。
【図５】上記ブルーレイディスクレコーダのメモリの構成を示すブロック図。
【図６】上記テレビジョン受像機におけるよる消費電力情報の取得処理の手順を示すフローチャート。
【図７】上記テレビジョン受像機における累積消費電力量の表示処理の手順を示すフローチャート。
【図８】上記テレビジョン受像機のディスプレイに表示される累積消費電力量の一例を示す説明図。
【図９】上記テレビジョン受像機における電気料金の表示処理の手順を示すフローチャート。
【図１０】上記テレビジョン受像機のディスプレイに表示される電気料金の一例を示す説明図。
【図１１】上記テレビジョン受像機におけるＣＯ２排出量の表示処理の手順を示すフローチャート。
【図１２】上記テレビジョン受像機のディスプレイに表示されるＣＯ２排出量の一例を示す説明図。
【発明を実施するための形態】
【００１４】
本発明の一実施形態に係る電力量監視システムについて、図１乃至図５を参照して説明する。図１は、テレビジョン（以下、ＴＶという）受像機（ＡＶ機器、電力量監視装置）２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたブルーレイディスクレコーダ（ＡＶ機器）３とを含む電力量監視システム１を示す。図２は、ＴＶ受像機２の内部構成を示し、図３は、ＴＶ受像機２のメモリ２７の構成を示す。図４は、ブルーレイディスクレコーダ（以下、ＢＤレコーダという）３の内部構成を示し、図５は、ＢＤレコーダ３のメモリ３５の構成を示す。
【００１５】
ＴＶ受像機２は、ＬＡＮケーブル等のネットワークケーブル６と接続され、インターネットＮを介して電気料金情報サーバ５と接続されている。電気料金情報サーバ５は、例えば１ｋＷｈ当たり２０円等のように単位電力量当たりの料金を示す電気料金情報を記憶する。ＢＤレコーダ３は、ブルーレイディスク（以下、ＢＤという）の再生や、映像コンテンツ等の記録を行うことができる装置であり、再生したコンテンツの映像信号や音声信号をＨＤＭＩケーブル４を介してＴＶ受像機２に出力する。
【００１６】
ＴＶ受像機２及びＢＤレコーダ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、ＨＤＭＩ−ＣＥＣ規格に基づく機器情報の送受信機能を用いて、自装置の情報の送受信や自動設定を行うことができる。また、ＴＶ受像機２及びＢＤレコーダ３は、それぞれ消費電力の異なる複数の動作モードを有する。この動作モードは、例えば「スタンバイ」、「停止」、「再生＋録画」、「高速ダビング」等である。
【００１７】
ＴＶ受像機２は、図２に示すように、ＴＶ番組の映像を表示するディスプレイ（表示手段）２１と、ＴＶ番組の音声を出力するスピーカ２２と、放送局からＴＶ番組を受信するチューナ２３と、リモコン装置（省電力設定変更手段）７から送信されたリモコン信号を受信するリモコン信号受信部２４とを備える。また、ＴＶ受像機２は、ＨＤＭＩ端子部２５と、ネットワークインタフェース２６と、各種情報が記憶されるメモリ（記憶手段）２７と、ＴＶ受像機２の各部を制御するための制御用マイコン２８とをさらに備える。
【００１８】
ディスプレイ２１は、ＴＶ番組の映像や、後述する消費電力量や電気料金等を表示する。ＨＤＭＩ端子部２５は、ＴＶ受像機の筐体外部に露出するように設けられ、ＨＤＭＩケーブル４の一端が装着される。ネットワークインタフェース２６は、イーサネット(登録商標）規格に対応するものであり、インターネットＮに接続するためのネットワークケーブル６の一端が装着される。
【００１９】
メモリ２７には、図３に示すように、制御用マイコン２８を動作させるためのプログラム２７ａと、消費電力情報（請求項における「各動作モード別の消費電力」）２７ｂと、累計動作時間情報（請求項における「各動作モード別の累計動作時間」）２７ｃと、電気料金データベース（電気料金算出情報）２７ｄと、ＣＯ２変換係数２７ｅと、省電力設定情報２７ｆとが記憶されている。
【００２０】
消費電力情報２７ｂには、ＴＶ受像機２自体の各動作モード別の消費電力が記憶される。累計動作時間情報２７ｃには、ＴＶ受像機２自体の各動作モード別の累計動作時間が記憶される。累計動作時間情報２７ｃには、ＴＶ受像機２自体の各動作モード別の先月の動作時間情報２７ｃ１と、自装置２の各動作モード別の今月の動作時間情報２７ｃ２とが含まれる。
【００２１】
電気料金データベース２７ｄには、電気料金情報サーバ５から取得した所定の消費電力量に応じた電気料金を算出するための情報（以下、電気料金算出情報という）が記憶される。ＣＯ２変換係数２７ｅは、消費電力量に基づきＣＯ２排出量を算出するための情報である。省電力設定情報２７ｆは、ＴＶ受像機２及びＢＤレコーダ３のＶＦＤ（Ｖａｃｕｕｍ  Ｆｌｕｏｒｅｓｃｅｎｔ  Ｄｉｓｐｌａｙ）等のディスプレイランプのオン／オフや、クイックスタート機能のオン／オフや、ディスプレイ２１の輝度軽減設定等の省電力設定の情報である。この省電力設定情報２７ｆは、初期設定時にＴＶ受像機２自体の省電力設定情報にＨＤＭＩケーブル４を介して取り込んだＢＤレコーダ３の省電力設定情報３５（図５参照）とを加えて作成される。
【００２２】
ＴＶ受像機２のセットアップ画面には、省電力設定用の画面が含まれている。ＴＶ受像機２は、ユーザがリモコン装置７等を用いて省電力設定を変更した時に、電力量監視システム１内の他の機器（ＢＤレコーダ３）に、ＨＤＭＩ−ＣＥＣ規格のコマンドのうち、例えばベンダ独自で定義できるコマンドを送信することにより、電力量監視システム１内の全ての機器（ＴＶ受像機２自体とＢＤレコーダ３）の省電力設定を一括して変更することが可能である。
【００２３】
制御用マイコン２８は、図２に示すように、機器情報送受信部（情報要求送信手段、情報受信手段）２８ａと、累計消費電力量算出部（累計消費電力量算出手段）２８ｂと、電気料金算出部（電気料金算出手段）２８ｃと、ＣＯ２算出部（ＣＯ２算出手段）２８ｄとを有し、チューナ２３によって受信されたＴＶ番組の映像及び音声や、ＨＤＭＩケーブル４を介して受信した映像及び音声をディスプレイ２１に表示させたりスピーカ２２に出力させたりする。また、制御用マイコン２８は、インターネットＮを介して電気料金情報サーバ５から電気料金情報を取得し、電気料金データベース２７ｄ内の電気料金情報を最新の情報に更新する。
【００２４】
機器情報送受信部２８ａは、ＢＤレコーダ３に対して、ＢＤレコーダ３の動作モード別の消費電力や累計動作時間情報等を含む消費電力情報を自装置２に送信するように要求する消費電力情報要求命令コマンド（消費電力情報要求命令）を送信する。また、機器情報送受信部２８ａは、消費電力情報要求命令コマンドに応じて、ＢＤレコーダ３から送信された消費電力情報を含むコマンドを受信する。機器情報送受信部２８ａが送受信に用いるコマンドは、ＨＤＭＩ−ＣＥＣ規格に基づくコマンドである。
【００２５】
累計消費電力量算出部２８ｂは、電力量監視システム１内のＡＶ機器、ここではＴＶ受像機２、及びＢＤレコーダ３の累計消費電力量を算出する。具体的には、単位時間当たりの消費電力と、動作時間を積算することによって累計消費電力量を求める。また、累計消費電力量算出部２８ｂは、電力量監視システム１内のＡＶ機器の一部、例えばＴＶ受像機２、又はＢＤレコーダ３のいずれかの累計消費電力量を算出する。
【００２６】
電気料金算出部２８ｃは、電気料金データベース２７ｄに記憶された電気料金算出情報と、累計消費電力量算出部２８ｂによって算出された累計消費電力量とに基づいて、電気料金を算出する。ＣＯ２算出部２８ｄは、所定の消費電力量とＣＯ２変換係数２７ｅとに基づきＣＯ２排出量を算出する。
【００２７】
ＢＤレコーダ３は、図４に示すように、放送局からＴＶ番組を受信するチューナ３１と、ユーザによって操作されるリモコン装置８から送信されたリモコン信号を受信するリモコン信号受信部３２と、筐体外部に露出するように設けられたＨＤＭＩ端子部３３と、光ディスクドライブ３４と、各種情報が記憶されるメモリ（記憶手段）３５と、ＢＤレコーダ３内の各部の制御を行う制御用マイコン３６とをさらに備える。
【００２８】
ＨＤＭＩ端子部３３には、一端がＴＶ受像機２に接続されたＨＤＭＩケーブル４の他端が装着される。光ディスクドライブ３４は、光ディスクＤを内部に装着し、光ディスクＤの再生や録画を行う。
【００２９】
メモリ３５には、図５に示すように、制御用マイコン３６を動作させるためのプログラム３５ａと、消費電力情報（消費電力）３５ｂと、累計動作時間情報（累計動作時間）３５ｃと、省電力設定情報３５ｄとが記憶されている。
【００３０】
消費電力情報３５ｂには、ＢＤレコーダ３自体の各動作モード別の消費電力が記憶される。累計動作時間情報３５ｃには、ＢＤレコーダ３自体の各動作モード別の累計動作時間が記憶される。累計動作時間情報３５ｃには、ＢＤレコーダ３自体の各動作モード別の先月の動作時間情報３５ｃ１と、ＢＤレコーダ３自体の各動作モード別の今月の動作時間情報３５ｃ２とが含まれる。省電力設定情報３５ｄは、ＢＤレコーダ３自体の省電力設定の情報である。
【００３１】
制御用マイコン３６は、図４に示すように、映像出力部３６ａと、録画処理部３６ｂと、機器情報送受信部（情報送信手段）３６ｃとを有する。
【００３２】
映像出力部３６ａは、光ディスクドライブ３４に装着された光ディスクＤから読み出したコンテンツの再生を行い、再生されたコンテンツの映像信号及び音声信号をＨＤＭＩケーブル４を介してＴＶ受像機２に出力する。録画処理部３６ｂは、例えばユーザによるリモコン装置８の操作に基づいてチューナ３１から受信されたＴＶ番組を光ディスクＤに録画する。
【００３３】
機器情報送受信部３６ｃは、ＴＶ受像機２から送信された消費電力情報要求命令コマンドを受信すると共に、ＢＤレコーダ３の各動作モード別の消費電力情報３５ｂや、各動作モード別の累計動作時間情報３５ｃを含み、ＨＤＭＩ−ＣＥＣ規格に基づくコマンドをＴＶ受像機２に送信する。
【００３４】
次に、ＴＶ受像機２による消費電力情報の取得処理について、図６に示すフローチャートを参照して説明する。ＴＶ受像機２の制御用マイコン２８は、ＢＤレコーダ３に対して、機器情報送受信部２８ａを用いて消費電力情報要求命令コマンドを送信する（Ｓ１）。そして、ＢＤレコーダ３の制御用マイコン３６は、機器情報送受信部３６ｃを用いて、消費電力情報要求命令コマンドを受信した後、受信したコマンドの内容に基づき、消費電力情報３５ｂと累計動作時間情報３５ｃとの情報を含むコマンドをＴＶ受像機２に送信する（Ｓ２）。そして、ＴＶ受像機２の制御用マイコン２８は、機器情報送受信部２８ａを用いて、ＢＤレコーダ３から送信された消費電力情報を含むコマンドを受信する（Ｓ３）。
【００３５】
次に、ＴＶ受像機２による累計消費電力量の表示処理について、図７及び図８を参照して説明する。図７は、累計消費電力量の表示処理の手順を示すフローチャートを示し、図８は、ディスプレイ２１に表示される算出結果の一例を示す。ここでは、ＴＶ受像機２が上記図６に示す処理によって予めＢＤレコーダ３から消費電力情報を取得しているものとする。
【００３６】
まず、ＴＶ受像機２の制御用マイコン２８は、受信したＢＤレコーダ３の消費電力情報等と、ＴＶ受像機２の消費電力情報２７ｂ及び累計動作時間情報２７ｃに基づき、累計消費電力量算出部２８ｂを用いて、省電力設定を変更した場合の電力量監視システム１の全て、又は一部の先月の累計消費電力量を算出する（Ｓ１１）。そして、算出した省電力設定変更後の先月の累計消費電力量と、以前に算出した省電力設定変更前の先月の累計消費電力量とに基づいて、電力量監視システム１の全て又は一部の累計消費電力量の増加量、又は減少量をディスプレイ２１に表示する（Ｓ１２）。
【００３７】
具体的には、図８に示すように、ディスプレイ２１には、省電力設定変更前のＴＶ受像機２とＢＤレコーダ３とを合わせた先月の累計消費電力量Ｌ１と、省電力設定変更後の先月の累計消費電力量Ｌ３とが表示される。また、ディスプレイ２１には、電力量監視システム１内の一部の機器、ここではＴＶ受像機２の省電力設定変更前の先月の累計消費電力Ｌ２と、省電力設定変更後の先月の累計消費電力Ｌ４とが表示される。また、ディスプレイ２１には、省電力設定変更前と変更後の全体の累計消費電力量の増減量Ｌ５と、ＴＶ受像機２の累計消費電力量の増減量Ｌ６とが表示される。なお、電力量監視システム１内の一部の機器として、ＢＤレコーダ３のみの累計消費電力量を表示してもよい。
【００３８】
次に、ＴＶ受像機２による累計電気料金の表示処理について、図９及び図１０を参照して説明する。図９は、電気料金の表示処理の手順を示すフローチャートを示し、図１０は、ディスプレイ２１に表示される算出結果の一例を示す。ここでは、予めＴＶ受像機２が上記図６及び図７に示す処理によってＢＤレコーダ３から消費電力情報を取得した後、累計消費電力量を算出したものとする。
【００３９】
まず、ＴＶ受像機２の制御用マイコン２８は、累計消費電力量算出部２８ｂによって算出された先月の累計消費電力量と、電気料金データベース２７ｄの電気料金算出情報とに基づき、電気料金算出部２８ｃによって、省電力設定を変更した場合の電力量監視システム１内の機器の全て、又は一部の先月の電気料金を算出する（Ｓ２１）。そして、ＴＶ受像機２の制御用マイコン２８は、算出した省電力設定変更後の先月の電気料金と、以前に算出した省電力設定変更前の先月の電気料金とに基づいて電気料金の増加料、又は減少料をディスプレイ２１に表示する（Ｓ２２）。
【００４０】
具体的には、図１０に示すように、ディスプレイ２１には、省電力設定変更前のＴＶ受像機２とＢＤレコーダ３とを合わせた先月の電気料金Ｌ１１と、省電力設定変更後の先月の電気料金Ｌ１３とが表示される。また、ディスプレイ２１には、電力量監視システム１内の一部の機器、ここではＴＶ受像機２の省電力設定変更前の先月の電気料金Ｌ１２と、省電力設定変更後の先月の電気料金Ｌ１４とが表示される。また、ディスプレイ２１には、省電力設定変更前と変更後における全体の電気料金の増減料Ｌ１５と、ＴＶ受像機２の電気料金の増減料Ｌ１６とが表示される。なお、電力量監視システム１内の一部の機器として、ＢＤレコーダ３のみの電気料金を表示してもよい。
【００４１】
次に、ＴＶ受像機２によるＣＯ２排出量の表示処理について、図１１及び図１２を参照して説明する。図１１は、ＣＯ２排出量の表示処理の手順を示すフローチャートを示し、図１２は、ディスプレイ２１に表示される算出結果の一例を示す。ここでは、予めＴＶ受像機２が上記図６及び図７に示す処理によってＢＤレコーダ３から消費電力情報を取得した後、累計消費電力量を算出したものとする。
【００４２】
まず、ＴＶ受像機２の制御用マイコン２８は、ＣＯ２算出部２８ｄを用いて、メモリ２７のＣＯ２変換係数２７ｅと、累計消費電力量算出部２８ｂによって算出された先月の累計消費電力量とに基づき、省電力設定を変更した場合の電力量監視システム１内の機器の全て、又は一部の先月のＣＯ２排出量を算出する（Ｓ３１）。そして、制御用マイコン２８は、算出した省電力設定変更後の先月のＣＯ２排出量と、以前に算出した省電力設定変更前の先月のＣＯ２排出量とに基づいて、ＣＯ２排出量の増加量、又は減少量をディスプレイ２１に表示する（Ｓ３２）。
【００４３】
具体的には、図１２に示すように、ディスプレイ２１には、省電力設定変更前のＴＶ受像機２とＢＤレコーダ３とを合わせた先月のＣＯ２排出量Ｌ２１と、省電力設定変更後の先月のＣＯ２排出量Ｌ２３とが表示される。また、ディスプレイ２１には、電力量監視システム１内の一部の機器、ここではＴＶ受像機２の省電力設定変更前の先月のＣＯ２排出量Ｌ２２と、省電力設定変更後の先月のＣＯ２排出量Ｌ２４とが表示される。また、ディスプレイ２１には、省電力設定変更前と変更後の全体のＣＯ２排出量の増減量Ｌ２５と、ＴＶ受像機２のＣＯ２排出量の増減量Ｌ２６とが表示される。なお、電力量監視システム１内の一部の機器として、ＢＤレコーダ３のみのＣＯ２排出量を表示させてもよい。
【００４４】
上述したように、本実施形態に係る電力量監視システム１においては、ＴＶ受像機２が省電力設定を変更した場合の電力量監視システム１内の全ての機器、又は一部の機器の先月の累計消費電力量を算出し、算出した省電力設定変更後の先月の累計消費電力量と以前に算出した省電力設定変更前の先月の累計消費電力量とに基づいて、省電力設定を変更した場合の累計消費電力量の増加量、又は減少量をディスプレイ２１に表示する。そのため、省電力設定を変更した場合にどれだけ消費電力量が増加するか、又は減少するかをユーザが容易に知ることができるので、ユーザにとって使い勝手が良い。
【００４５】
また、電力量監視システム１においては、ＴＶ受像機２が、省電力設定を変更した場合の電力量監視システム１内の全ての機器、又は一部の機器の先月の電気料金を算出し、算出した省電力設定変更後の先月の電気料金と以前に算出した省電力設定変更前の先月の電気料金とに基づいて電気料金の増加料、又は減少料をディスプレイ２１に表示する。そのため、省電力設定を変更した場合にどれだけ電気料金が増加するか、又は減少するかをユーザが容易に知ることができるので、ユーザにとって使い勝手が良い。
【００４６】
また、電力量監視システム１においては、ＴＶ受像機２が、省電力設定を変更した場合の電力量監視システム１内の全ての機器、又は一部の機器の先月のＣＯ２排出量を算出し、算出した省電力設定変更後の先月のＣＯ２排出量と以前に算出した省電力設定変更前の先月のＣＯ２排出量とに基づいて、ＣＯ２排出量の増加量、又は減少量をディスプレイ２１に表示する。そのため、省電力設定を変更した場合にどれだけＣＯ２排出量が増加するか、又は減少するかをユーザが容易に知ることができるので、ユーザにとって使い勝手が良い。
【００４７】
なお、本発明は、上記実施形態の構成に限られず、発明の趣旨を変更しない範囲で種々の変形が可能である。例えば、上記実施形態では、請求項に係るＡＶ機器が、ＴＶ受像機２とＢＤレコーダ３である例を示したが、これに限られず、ＢＤホームシアターセットや、プロジェクタ等であってもよい。また、電力量監視システムには、３つ以上のＡＶ機器が接続されるものであってもよい。
【００４８】
また、ＴＶ受像機、及びＢＤレコーダの累計動作時間情報には、月単位の累計動作時間が記憶される例を示したが、任意の期間の累計動作時間が記憶されるものであってもよい。
【００４９】
また、ＴＶ受像機は、今月と先月などの消費電力と、累計動作時間情報とに基づいて、来月の予想消費電力量や、予想電気料金や、予想ＣＯ２排出量を算出し、ディスプレイに表示するものであってもよい。
【符号の説明】
【００５０】
１  電力量監視システム
２  ＴＶ受像機（ＡＶ機器、電力量監視装置）
３  ＢＤレコーダ（ＡＶ機器）
７  リモコン装置（省電力設定変更手段）
２１  ディスプレイ（表示手段）
２７  メモリ（記憶手段）
３５  メモリ（記憶手段）
２７ｂ  消費電力情報（消費電力）
２７ｃ  累計動作時間情報（累計動作時間）
２７ｄ  電気料金データベース（電気料金算出情報記憶手段）
２８ａ  機器情報送受信部（情報要求送信手段、情報受信手段）
２８ｂ  累計消費電力量算出部（累計消費電力量算出手段）
２８ｃ  電気料金算出部（電気料金算出手段）
２８ｄ  ＣＯ２算出部（ＣＯ２算出手段）
３５ｂ  消費電力情報（消費電力）
３５ｃ  累計動作時間情報（累計動作時間）
３６ｃ  機器情報送受信部（情報送信手段）
【図１】
2010197090.tif 000003
【図２】
2010197090.tif 000004
【図３】
2010197090.tif 000005
【図４】
2010197090.tif 000006
【図５】
2010197090.tif 000007
【図６】
2010197090.tif 000008
【図７】
2010197090.tif 000009
【図８】
2010197090.tif 000010
【図９】
2010197090.tif 000011
【図１０】
2010197090.tif 000012
【図１１】
2010197090.tif 000013
【図１２】
2010197090.tif 000014